(57)【特許請求の範囲】
【請求項１】
回路を保持するベースにカバーが設けられ、カバーの前面のレンズ取付部に赤外線センサの検知エリアを設定するレンズが外部から嵌め込まれた防犯用センサシステムであって、
前記カバーの内側面に突起部からなる係合部が、前記レンズの取付片に前記係合部に係合する切欠部からなる被係合部が、それぞれ設けられ、
前記取付片の内方への撓みによって前記突起部と前記切欠部が係合されて、取付片がカバーの内側に嵌め込み固定されており、
前記ベースに台座が取り付けられ、台座の上に前記係合されたレンズの取付片が内方へ変位してその係合が解かれるのを阻止するストッパが形成されている防犯用センサシステム。
【請求項２】
請求項１において、カバーの前面と後面の間をシールして、虫の通過を阻止するシール構造を備えており、
このシール構造は、前記カバーに形成されて、台座の上面に接触して両者間をシールするシール片と、赤外線センサの受光素子を露出させる窓の周縁部を前記受光素子の周囲を覆うシール台に押し付けて両者間をシールする窓シール部とを有する防犯用センサシステム。
【請求項３】
請求項１または２において、前記台座の内部に前記ベース上の回路部品を収納する空間が形成されている防犯用センサシステム。
【請求項４】
請求項１ないし３のいずれかにおいて、さらに、
マイクロ波センサと、前記ベースに取り付けられてマイクロ波センサを支持するホルダとを備え、
前記ホルダに前記台座が一体形成されている防犯用センサシステム。
【発明の詳細な説明】
【０００１】
【発明の属する技術分野】
本発明は、赤外線受光素子を備えた防犯用センサに関し、特にそのレンズ保持構造の改善に関する。
【０００２】
【従来の技術】
上記防犯用センサとして、構造が簡単で消費電力の少ない受動型赤外線受光素子を備えたセンサ（以下「ＰＩＲセンサ」という）が広く使用されている。しかし、このＰＩＲセンサは妨害行為（タンパ行為）を受け易い。例えば、侵入者が、侵入者検知システムが非警戒中である日中などに侵入し、センサの前面のレンズ部分をカバーから取り外して、ＰＩＲセンサに、紙やプラスチックなど赤外線を透過しないものを貼りつけてマスキングすることによって、人体を検知しない状態にした上で、上記レンズ部分を元通りに装着してマスキング行為を隠し、再び警戒中に侵入し、犯罪を行う場合がある。侵入者は、センサのカバーを取り外すと妨害検知信号（タンパ信号）が出力され警報が発せられるので、センサのレンズ部分だけを取り外して警報が発せられないようにする。
【０００３】
このため、センサの外部からレンズを取り外しできないようなレンズ保持構造にする必要がある。例えば、レンズを裏側からカバーにねじ止めする方法、つめを用いてレンズを固定する方法、別部品の固定具でレンズを固定する方法がある。また、接着剤でレンズを接着固定する方法，一体成型・溶着による方法，パッキン等による隙間埋めの方法などがある。
【０００４】
【発明が解決しようとする課題】
しかし、上記ねじ止め，別部品，およびパッキン等による隙間埋め等の方法では、部品点数が多くなり、組立工程が複雑化して低コスト化が困難であるという問題があった。また、つめを用いる方法では、外側からドライバーのような工具でレンズをこじって爪が外されるおそれがあるうえに、気密性に欠け、電線コード用の孔などからセンサ内に侵入した虫が、つめの隙間からレンズの内側に入ってセンサの前を通過することにより、誤動作を起こすおそれがある。さらに、接着剤を用いたり一体成型する方法では、レンズを取り外せないので、レンズ交換ができない。
【０００５】
本発明は、上記問題点を解決して、簡単かつ低コストで、外部からのレンズの取り外しを困難にし、かつセンサの誤動作を防止できるレンズ保持構造を改善した防犯用センサを得ることを目的とする。
【０００６】
【課題を解決するための手段】
上記目的を達成するために、本発明に係る防犯用センサシステムは、回路を保持するベースにカバーが設けられ、カバーの前面のレンズ取付部に赤外線センサの検知エリアを設定するレンズが外部から嵌め込まれた防犯用センサシステムであって、前記カバーの内側面に突起部からなる係合部が、前記レンズの取付片に前記係合部に係合する切欠部からなる被係合部が、それぞれ設けられ、前記取付片の内方への撓みによって前記突起部と前記切欠部が係合されて、取付片がカバーの内側に嵌め込み固定されており、前記ベースに台座が取り付けられ、台座の上に前記係合されたレンズの取付片が内方へ変位してその係合が解かれるのを阻止するストッパが形成されている。
【０００７】
上記構成によれば、レンズの取付片の内方への撓みによって、係合部と被係合部が係合されて取付片がカバーの内側に嵌め込み固定されるので、外部からレンズをカバーに簡単に嵌め込むことができる。レンズを嵌め込んだカバーをベースに取り付けた後は、ベースに取り付けた台座上のストッパによりレンズの取付片が内方へ変位するのが阻止されるので、外部からレンズを取り外すことが困難となる。
【０００８】
好ましくは、カバーの前面と後面の間をシールして、虫の通過を阻止するシール構造を備えており、このシール構造は、前記カバーに形成されて、台座の上面に接触して両者間をシールするシール片と、赤外線センサの受光素子を露出させる窓の周縁部を前記受光素子の周囲を覆うシール台に押し付けて両者間をシールする窓シール部とを有している。このように、カバーの前面と後面との間をシールするので、赤外線センサの前面を虫が通過しないから、虫による赤外線センサの誤動作を防止できる。
【０００９】
好ましくは、前記台座の内部に前記ベース上の回路部品を収納する空間が形成されている。従って、台座の空間を無駄なく活用するので、防犯用センサの大型化が抑制される。
【００１０】
好ましくは、マイクロ波センサと、前記ベースに取り付けられてマイクロ波センサを支持するホルダとを備え、前記ホルダに前記台座が一体形成されている。従って、赤外線センサおよびマイクロ波センサを有する防犯用センサの組立工程および部品点数が減少するので、低コスト化を図ることができる。
【００１１】
【発明の実施の形態】
以下、本発明の実施形態を図面に基づいて説明する。
図１に、本発明の一実施形態に係るレンズ保持構造を改善した防犯用センサの斜視図を示す。この防犯用センサ１は、天井や壁に取り付けられるベース２と、ベース２の前面を覆うカバー３とを備え、内部にＰＩＲ（受動型赤外線）センサ４とＭＷ（マイクロ波）センサ５を収納した状態で、ベース２にカバー３をねじ止め（図示せず）固定されてなる。ＭＷセンサ５の前面がマイクロ波を透過するカバー３で覆われるとともに、ＰＩＲセンサ４の前面にその検知エリアを設定するフレネルレンズのようなレンズ６が嵌め込まれる。
【００１２】
図２（ａ）にカバー３の、図２（ｂ）にベース２のそれぞれ平面図を示す。図３には防犯用センサ１の縦断面図を示す。図２（ａ）において、カバー３はその長手方向の一側部（同図の下部）寄りに略半円の凹部１２を有し、その凹部１２の底壁が視野規制板１４とシール片１７とにより形成されている。球面状の略半円形状をなすレンズ６（２点鎖線部）は視野規制板１４の周縁部の前面側に設けられたレンズ取付部１５に取り付けられる。レンズ６は、図３に示すように、凹部１２の周縁に設けられた嵌合溝２１に嵌め込まれている。図２（ａ）に示す凹部１２の左右両側の内側面には、レンズ６を係合する一対の突起部からなる係合部２４，２４が設けられ、後述するように、レンズ６はこの係合部２４，２４で係合されて、カバー３に固定される。
【００１３】
また、上記視野規制板１４の中央部は最下部となっており、この中央部にＰＩＲセンサ４の受光素子４ａを露出させる窓１８が設けられ、視野規制板１４の両側部に、前述した水平な一対のシール片１７が一体形成されており、このシール片１７に、一対の貫通孔２２，２２が設けられている。図３から明らかなように、カバー３の前面と後面は前記窓１８および貫通孔２２を除いてシールされている。
【００１４】
図２（ｂ）において、ベース２は、リブＦ（図４）を介して回路が形成されたプリント基板Ｋを保持する。プリント基板Ｋの長手方向の他側部寄りにはホルダＨを介してＭＷセンサ５が設置されている。プリント基板Ｋの長手方向の一側部寄りにはＰＩＲセンサ４の受光素子４ａの周囲を覆う軟質ウレタンのような弾性材からなるシール台Ｅと、その左右両側に位置する台座Ｄとが設置され、台座Ｄの上にレンズ６の内方への変位を阻止するストッパ２６が形成されている。ＰＩＲセンサ４とストッパ２６は、図２（ａ）の窓１８と貫通孔２２のそれぞれに対応する位置に配置されている。
【００１５】
図４に、図１のIV−IV線断面図を示す。レンズ６のフランジ部６ｆの先端部に、カバー３にレンズ６を取り付けるための一対の取付片６ａ，６ａが突設されており、両取付片６ａ，６ａには切欠部からなる被係合部２５がそれぞれ形成されている。フランジ部６ｆおよび取付片６ａ，６ａは、外部から左右方向の内方へ力を加えると内方に撓むようになっている。カバー３にレンズ６を取り付ける際には、フランジ部６ｆおよび取付片６ａ，６ａに内方への押圧力をかけてカバー３をその押圧方向に撓ませつつ、レンズ６をカバー３の内側面に沿って下方に押し込み、カバー３の内側面に設けられた係合部２４に取付片６ａの被係合部２５を係合させる。こうして、外部からレンズ６をカバー３に簡単に嵌め込むことができる。
【００１６】
レンズ６を嵌め込んだカバー３をベース２に取り付けると、レンズ６の取付片６ａ，６ａは、ベース２に取り付けた台座Ｄ上のストッパ２６とカバー３との間に僅かな隙間を存して位置する。従って、侵入者が外部からドライバーのような工具２８でレンズ６の取付片６ａを内方へ撓ませて、レンズ６をカバー３から取り外そうとしても、取付片６ａ，６ａは、ストッパ２６，２６に当たって内方へ移動できず、レンズ６の内方への撓み（変位）が阻止されるので、その取り外しが困難となる。
【００１７】
従って、この防犯用センサ１は、外部からレンズ６をカバー３に簡単に嵌め込むことができるとともに、レンズ６の内方への変位を阻止するストッパ２６を設けるという簡単な構造で、外部からのレンズ６の取り外しを困難にすることができる。また、図３のように、ＭＷセンサ５を支持するホルダＨと、ストッパ２６を支持する台座Ｄとは一体形成されているので、防犯用センサ１の組立工程および部品点数が減少することで低コスト化が実現される。
【００１８】
また、図４のように、この防犯用センサ１は、上記カバー３に形成されたシール片１７により、カバー３のレンズ取付部１５のある前面３ａと後面３ｂとの間をシールして、虫の通過を阻止するシール構造を有している。すなわち、ベース２にカバー３を取り付けた状態では、シール片１７の下面１７ａが台座Ｄの上面Ｄａと接触することにより上記貫通孔２２が塞がれるとともに、カバー３に設けた段部３０に台座Ｄの外端部の上面が接触することにより、第１シール部Ｓ１が形成される。その一方、ＰＩＲセンサ４を露出させる窓１８の周縁部に形成された突起状の窓シール部１９が、弾性体からなるシール台Ｅに押し付けられることにより、窓１８の周縁部に第２シール部Ｓ２が形成される。これらシール部Ｓ１，Ｓ２でカバー３の前面３ａと後面３ｂ間がシールされる。
【００１９】
このように、上記第１シール部Ｓ１と第２シール部Ｓ２により、カバー３の前面３ａと後面３ｂとの間がシールされるので、貫通孔２２および窓１８を介しての後面３ｂから前面３ａへの虫の通過を阻止する。これにより、ＰＩＲセンサ４の前面を虫が通過しないので、虫によるＰＩＲセンサ４の誤動作を防止することができる。
【００２０】
上記台座Ｄの内部には、ベース２上の回路部品の一部を収納する空間Ｓｐが形成されている。この空間Ｓｐに、例えば、非警戒中にベース２からカバー３が取り外されるとスイッチが開放されて妨害検知信号を出力するタンパスイッチＴや、コンデンサーＣ等を配置でき、空間Ｓｐを無駄なく活用するので、防犯用センサ１の大型化が抑制される。
【００２１】
なお、この実施形態では、ＰＩＲセンサおよびＭＷセンサの両方を有する防犯用センサシステムを用いているが、ＰＩＲセンサのみを有する防犯用センサシステムを用いてもよい。
【００２２】
【発明の効果】
本発明によれば、レンズの取付片の内方への撓みによって、係合部と被係合部が係合されて取付片がカバーの内側に嵌め込み固定されるので、外部からレンズをカバーに簡単に嵌め込むことができる。レンズを嵌め込んだカバーをベースに取り付けた後は、ベースに取り付けた台座上のストッパによりレンズの取付片が内方へ変位するのを阻止できるので、外部からレンズを取り外すことが困難となる。また、カバーの前面と後面との間をシールするシール構造を設けた場合、赤外線センサの前面を虫が通過しないから、虫による赤外線センサの誤動作も防止できる。
【図面の簡単な説明】
【図１】本発明の一実施形態に係るレンズ保持構造を改善した防犯用センサを示す斜視図である。
【図２】（ａ）は上記防犯用センサのカバーの平面図、（ｂ）はそのベースの平面図である。
【図３】図１のIII −III 線に沿った縦断面図である。
【図４】図１のIV−IV線に沿った横断面図である。
【符号の説明】
２…ベース、３…カバー、４…赤外線センサ（ＰＩＲセンサ）、５…マイクロ波センサ（ＭＷセンサ）、６…レンズ、６ａ…レンズの取付片、１７…シール片、２４…係合部、２５…被係合部、２６…ストッパ、Ｄ…台座、Ｅ…シール台、Ｈ…ホルダ。
【図１】
0003991083.tif 000002
【図２】
0003991083.tif 000003
【図３】
0003991083.tif 000004
【図４】
0003991083.tif 000005